(57)【要約】【課題】送風ファンの回転数の制御の回数を減少させることにより回転数制御を簡素化しながら、急激な温度上昇の場合にも送風ファンの回転数の急激な変化による騒音の増大を抑制することが可能なプロジェクタを提供する。【解決手段】このプロジェクタ１は、装置本体５０と、装置本体５０の内部に配置されるバルブ１０ａを含む光源ランプ１０と、光源ランプ１０の近傍の温度を測定する温度センサ２０と、装置本体５０の光源ランプ１０に風を送る温度調整ファン２１と、温度センサ２０によって測定された温度に基づいて、温度センサ２０による光源ランプ１０の近傍の温度測定の時間間隔を制御するとともに、温度センサ２０による光源ランプ１０の近傍の温度測定毎に、温度センサ２０によって測定された温度に基づいて、温度調整ファン２１の回転数をＰＩＤ制御する制御部３１とを備える。【選択図】図２
2009069459.tif 000002
【特許請求の範囲】
【請求項１】
装置本体と、
前記装置本体の内部に配置される光源ランプと、
前記光源ランプの近傍の温度を測定する温度測定手段と、
前記装置本体の光源ランプに風を送る送風ファンと、
前記温度測定手段によって測定された温度に基づいて、前記温度測定手段による前記光源ランプの近傍の温度測定の時間間隔を制御するとともに、前記温度測定手段による前記光源ランプの近傍の温度測定毎に、前記温度測定手段によって測定された温度に基づいて、前記送風ファンの回転数をフィードバック制御する制御部とを備える、プロジェクタ。
【請求項２】
前記制御部は、前記温度測定手段によって測定された直前の温度に対して、所定の温度差以上で温度が上昇している場合には、前記温度測定手段による温度測定の時間間隔を、第１の時間に設定するように制御するとともに、前記所定の温度差以上で温度が上昇していない場合には、前記温度測定の時間間隔を前記第１の時間より長い第２の時間に設定するように制御するように構成されている、請求項１に記載のプロジェクタ。
【請求項３】
前記温度測定手段によって測定された温度を記憶するための記憶部をさらに備え、
前記制御部は、前記温度測定手段によって測定された温度を、前記記憶部に記憶された、前記温度測定手段が直前に測定した温度と比較して、前記所定の温度差以上で温度が上昇しているかを判断するように構成されている、請求項２に記載のプロジェクタ。
【請求項４】
前記制御部は、前記温度測定手段によって測定された温度に基づいて、前記光源ランプの光量を制御するように構成されている、請求項１〜３のいずれか１項に記載のプロジェクタ。
【請求項５】
前記制御部は、前記温度測定手段によって測定された温度が、第１の温度以上で、かつ、第２の温度以下である場合には、前記光源ランプの光量を小さくするように制御するように構成されている、請求項４に記載のプロジェクタ。
【請求項６】
前記制御部は、前記温度測定手段によって測定された温度が、前記第２の温度より大きい場合には、前記光源ランプを消灯し、前記送風ファンの回転数を最大にするように制御するように構成されている、請求項５に記載のプロジェクタ。
【発明の詳細な説明】
【技術分野】
【０００１】
この発明は、プロジェクタに関し、特に、送風ファンと温度測定手段とを備えるプロジェクタに関する。
【背景技術】
【０００２】
従来、送風ファンと温度測定手段とを備えるプロジェクタが知られている（たとえば、特許文献１〜５参照）。
【０００３】
上記特許文献１には、装置本体の内部を冷却するための冷却用ファン（送風ファン）と、装置本体内の温度を計測するための温度検出器（温度測定手段）と、温度検出器によって温度を測定する時間間隔を計測するためのタイマー部と、温度検出器によって検出された温度に基づいて冷却用ファンを制御する制御部とを備えるＬＣＤプロジェクタ（プロジェクタ）が開示されている。このＬＣＤプロジェクタでは、温度検出器による温度測定は、タイマー部により計測された一定の時間間隔で実行される。また、冷却用ファンの回転数は、温度検出器による温度検出毎に、検出された温度に基づいて制御されるとともに、温度検出器によって前回検出された温度との比較により、温度差がそれほど大きくない場合に冷却用ファンの回転数を急激に変化させないために、温度差に応じて回転数を多段階的に制御するように構成されている。これにより、装置本体内部の温度が急に上がった際にも、冷却用ファンの回転数が急激に上がることはないので、冷却用ファンの騒音が急激に増大するのを抑制することが可能となる。
【０００４】
また、上記特許文献２には、ランプ（光源ランプ）や液晶パネル等からなる発熱部と、発熱部を冷却するための冷却ファン（送風ファン）と、発熱部近傍の温度を測定するための温度センサー（温度測定手段）と、冷却ファン近傍の周囲音を計測するためのマイクと、騒音検出回路と、温度センサーにより測定された温度と騒音検出回路によって検出された騒音とに基づいて冷却ファンの回転数を制御する制御部とを備える投射型表示装置（プロジェクタ）が開示されている。この投射型表示装置では、冷却ファンの騒音を周囲の騒音レベルと合わせたレベルに抑えるために、制御部により、温度センサーによって検出された温度と、マイクと騒音検出回路とによって検出された騒音レベルとに基づいて、冷却ファンの回転数が制御されるように構成されている。
【０００５】
また、上記特許文献３には、装置本体の内部を冷却するためのファン（送風ファン）、ファンの駆動を制御するファン駆動コントロール回路（制御部）、および装置本体の内部の温度を測定するための温度センサ（温度測定手段）を含むプロジェクタと、プロジェクタとは別途設けられ、プロジェクタの周囲音の情報をプロジェクタに伝達するマイクとを備えるファン騒音低減装置が開示されている。このファン騒音低減装置が備えるプロジェクタでは、温度センサによって測定された温度と、マイクによって集音されたプロジェクタの周囲音とに基づいて、ファン駆動コントロール回路により、ファンの騒音を周囲の騒音と合わせるようにファンの回転数が制御されるように構成されている。
【０００６】
また、上記特許文献４には、装置本体の内部を冷却するための冷却用ファン（送風ファン）と、装置本体の内部の温度を検出するための温度検出手段（温度測定手段）と、装置本体の設定を切り替えるための複数の操作パネルと、冷却用ファンの回転数を電圧により制御するためのマイクロコンピュータ（制御部）とを備える投射型表示装置（プロジェクタ）が開示されている。この投射型表示装置では、急激な温度上昇や、操作パネルによる装置本体の設定の切り替わりにより、冷却用ファンの回転数を急に上げる必要がある場合に、冷却用ファンの回転数が緩やかに上がるように制御されるように構成されている。
【０００７】
また、上記特許文献５には、装置本体の内部を冷却するための冷却ファン（送風ファン）と、装置本体の内部の温度を検出するための温度センサ（温度測定手段）と、温度センサによって検出された温度に基づいて、冷却ファンの回転数を制御するための制御装置（制御部）とを備えるプロジェクタが開示されている。このプロジェクタでは、温度センサによって検出された温度に基づいて冷却ファンの回転数が制御されるように構成されている。また、冷却ファンの回転数を上げるときには、冷却ファンの回転数が変化することによって発生するノイズの変化量が所定の値を超えないように緩やかに回転数を変化させるとともに、前回冷却ファンの回転数を制御してから所定の時間が経過した後に、急激に冷却ファンの回転数が上昇することに起因する騒音の増大を抑制するために、冷却ファンの回転数を上げるように構成されている。
【０００８】
【特許文献１】特開平８−０６９０５４号公報
【特許文献２】特開２００４−０２９４８５号公報
【特許文献３】特開２００４−２３３４６３号公報
【特許文献４】特開２００５−０９９３７９号公報
【特許文献５】特開２００６−０５８８０４号公報
【発明の開示】
【発明が解決しようとする課題】
【０００９】
しかしながら、上記特許文献１に記載のＬＣＤプロジェクタでは、温度検出の時間間隔は、常に一定であるので、温度検出器によって長い時間間隔で温度検出を実行するように構成すると、温度検出の時間間隔の間に急激に温度が上昇したときに、冷却ファンの回転数が急激に上昇するので、騒音が急激に増大するのを抑制することが困難であるという問題点がある。また、短い時間間隔で温度検出を実行して温度検出毎に冷却ファンの回転数を制御する処理を実行するように構成すると、急激な温度上昇による冷却ファンの回転数の急激な上昇に起因する騒音を軽減することが可能になる一方、短い時間間隔で冷却ファンの回転数制御を行う必要があるので、回転数制御の回数が増加し、その結果、回転数制御が複雑化するという問題点がある。
【００１０】
また、上記特許文献２〜５に記載の投射型表示装置およびプロジェクタでは、温度測定間隔について、全く開示されていない。したがって、温度測定および温度に基づいて行われる送風ファンの回転数の制御の時間間隔は、リアルタイム（即時）に行っているか、常に一定であると考えられる。このように、測定時間間隔および送風ファンの回転数の制御をリアルタイムまたは短い時間間隔で実行する場合には、上記特許文献１の場合と同様、リアルタイムまたは短い時間間隔で冷却ファンの回転数制御を行う必要があるので、回転数制御の回数が増加し、その結果、回転数制御が複雑化するという問題点がある。
【００１１】
この発明は、上記のような課題を解決するためになされたものであり、この発明の１つの目的は、送風ファンの回転数の制御の回数を減少させることにより回転数制御を簡素化しながら、急激な温度上昇の場合にも送風ファンの回転数の急激な変化による騒音の増大を抑制することが可能なプロジェクタを提供することである。
【課題を解決するための手段および発明の効果】
【００１２】
この発明の一の局面によるプロジェクタは、装置本体と、装置本体の内部に配置される光源ランプと、光源ランプの近傍の温度を測定する温度測定手段と、装置本体の光源ランプに風を送る送風ファンと、温度測定手段によって測定された温度に基づいて、温度測定手段による光源ランプの近傍の温度測定の時間間隔を制御するとともに、温度測定手段による光源ランプの近傍の温度測定毎に、温度測定手段によって測定された温度に基づいて、送風ファンの回転数をフィードバック制御する制御部とを備える。
【００１３】
この一の局面によるプロジェクタでは、上記のように、光源ランプの近傍の温度を測定する温度測定手段と、光源ランプに風を送る送風ファンと、温度測定手段によって測定された温度に基づいて、温度測定手段による温度測定の時間間隔を制御するとともに、温度測定手段による温度測定毎に、測定された温度に基づいて、送風ファンの回転数をフィードバック制御する制御部とを設けることによって、たとえば、温度測定手段による光源ランプの近傍の温度測定および温度測定手段による温度測定毎に実行される送風ファンの制御の時間間隔を、温度測定手段によって測定された温度に基づいて変化させることができるので、温度測定手段によって測定された温度が急激に上昇しているときには、温度測定の時間間隔を短くすることにより、送風ファンの回転数が急激に上がらないように構成することができる。これにより、送風ファンの回転数の変化による騒音の急激な増大を抑制することができる。また、温度測定手段によって測定された温度が変化せずに安定しているときには、温度測定の時間間隔を、温度が急激に上昇しているときよりも長くすることにより、制御部が測定された温度に基づいて送風ファンの回転数を制御する処理の回数を削減することができる。その結果、送風ファンの回転数制御を簡素化することができるとともに、制御部の負荷の増大を抑制することができる。
【００１４】
上記一の局面によるプロジェクタにおいて、好ましくは、制御部は、温度測定手段によって測定された直前の温度に対して、所定の温度差以上で温度が上昇している場合には、温度測定手段による温度測定の時間間隔を、第１の時間に設定するように制御するとともに、所定の温度差以上で温度が上昇していない場合には、温度測定の時間間隔を第１の時間より長い第２の時間に設定するように制御するように構成されている。このように構成すれば、容易に、温度測定手段によって測定された温度が急激に上昇しているときには、温度測定の時間間隔を短い第１の時間間隔に設定することができるとともに、温度測定手段によって測定された温度が安定しているときには、温度測定の時間間隔を第１の時間間隔よりも長い第２の時間間隔に設定することができる。
【００１５】
この場合、好ましくは、温度測定手段によって測定された温度を記憶するための記憶部をさらに備え、制御部は、温度測定手段によって測定された温度を、記憶部に記憶された、温度測定手段が直前に測定した温度と比較して、所定の温度差以上で温度が上昇しているかを判断するように構成されている。このように構成すれば、容易に、直前に測定された温度と、温度測定手段によって測定される温度とを制御部により比較することができる。
【００１６】
上記一の局面によるプロジェクタにおいて、好ましくは、制御部は、温度測定手段によって測定された温度に基づいて、光源ランプの光量を制御するように構成されている。このように構成すれば、送風ファンの回転数の制御のみならず、光源ランプの光量の制御によっても、光源ランプの近傍の温度の急激な上昇を抑制することができる。
【００１７】
この場合、好ましくは、制御部は、温度測定手段によって測定された温度が、第１の温度以上で、かつ、第２の温度以下である場合には、光源ランプの光量を小さくするように制御するように構成されている。このように構成すれば、制御部により、温度測定手段によって測定された温度が第１の温度以上である場合には、光源ランプの光量が下げられることにより、光源ランプの近傍の温度を速やかに下げることができる。これにより、光源ランプの近傍の温度が上昇しすぎないように構成することができるので、光源ランプの寿命を向上させることができる。
【００１８】
上記制御部が温度測定手段によって測定された温度が第１の温度以上で第２の温度以下である場合に光源ランプの光量を小さくするように制御するプロジェクタにおいて、好ましくは、制御部は、温度測定手段によって測定された温度が、第２の温度より大きい場合には、光源ランプを消灯し、送風ファンの回転数を最大にするように制御するように構成されている。このように構成すれば、光源ランプが温度上昇により破損することを有効に抑制することができる。
【発明を実施するための最良の形態】
【００１９】
以下、本発明を具体化した実施形態を図面に基づいて説明する。
【００２０】
図１は、本発明の一実施形態によるプロジェクタの全体構造を示した斜視図である。また、図２は、図１のプロジェクタの内部構造を示した平面図である。また、図３は、図１に示した本発明の一実施形態によるプロジェクタの構成を示したブロック図である。まず、図１〜図３を参照して、本発明の一実施形態によるプロジェクタ１の構成について説明する。
【００２１】
本発明の一実施形態によるプロジェクタ１の筐体２は、図１に示すように、前部筐体３、後部筐体４、上部筐体５、および下部筐体６を含んでいる。前部筐体３の矢印Ｘ１方向の端部側には、レンズ挿入部３ａが形成されている。
【００２２】
また、このレンズ挿入穴３ａには、映像を投影するためのレンズ７が挿入されている。また、上部筐体５の上面の後方（矢印Ｙ２方向）には、複数の操作ボタン８が設けられている。また、操作ボタン８の近傍には、点灯および点滅によりプロジェクタ１の状態を表示する表示部９が設けられている。
【００２３】
また、図１および図２に示すように、前部筐体３の中央から矢印Ｘ２方向側の部分には、排気口３ｂが設けられている。また、図２に示すように、下部筐体６の矢印Ｘ１方向側の側壁部の中央から矢印Ｙ２方向側の部分には、プロジェクタ１の内部に空気を取り込むための吸気口６ａが設けられている。また、図１および図２に示すように、下部筐体６の矢印Ｘ２方向側の側壁部の中央から矢印Ｙ２方向側の部分には、プロジェクタ１の内部から空気を排出するための排気口６ｂが設けられている。
【００２４】
また、図２に示すように、プロジェクタ１の装置本体５０の内部には、光源であるとともに、光量をＬｏｗと通常光量とに調整可能なバルブ１０ａと、バルブ１０ａから照射される光を反射して集光するためのリフレクタ１０ｂとから構成される光源ランプ１０が配置されている。この光源ランプ１０の矢印Ｘ１方向側には、光源ランプ１０から照射された光１００を赤色、青色、緑色および白色光に順次変化させるためのカラーホイール１１が配置されている。このカラーホイール１１の光源ランプ１０からの光１００の進行方向（矢印Ｘ１方向）側には、カラーホイール１１を透過した光を集光した状態でミラー１２に到達させるためのライトトンネル１３とリレーレンズ１４とが配置されている。このミラー１２は、リレーレンズ１４によって集光された光をＤＭＤ（Ｄｉｇｉｔａｌ  Ｍｉｃｒｏｍｉｒｒｏｒ  Ｄｅｖｉｃｅ）１５の方向に反射されるために設けられている。
【００２５】
また、図２に示すように、ＤＭＤ１５は、ミラー１２によって反射されて、集光レンズ１６によって集光された光を映像光化して、レンズ７の方向に反射させる。これにより、外部（スクリーン）に向かって、レンズ７を介して映像光を投影することが可能である。また、下部筐体６の後部（矢印Ｙ２方向側）には、配線基板からなる回路部３０が設置されている。
【００２６】
また、ＤＭＤ１５の矢印Ｙ２方向側の近傍には、ＤＭＤ１５を冷却するためのヒートシンク１７が配置されている。また、カラーホイール１１およびライトトンネル１３の矢印Ｙ２方向側には、冷却ファン１８が設けられている。この冷却ファン１８は、図２に示すように、下部筐体６の吸気口６ａから吸気して、前部筐体３の排気口３ｂに排気するように構成されている。これにより、光源ランプ１０から光とともに照射される熱によって熱せられるライトトンネル１３などの光学部品に送風することによって、ライトトンネル１３などの光学部品を冷却することが可能である。
【００２７】
ここで、本実施形態では、図２に示すように、光源ランプ１０は、ランプケース１９に収納されおり、ランプケース１９の内部には、光源ランプ１０の近傍の温度を測定するための温度センサ２０が配置されている。また、ランプケース１９の矢印Ｙ２側には、ランプケース１９および光源ランプ１０に送風することにより冷却する温度調整ファン２１が設けられている。この温度調整ファン２１は、下部筐体６の吸気口６ａから吸気して、排気口６ｂに排気されるように構成されている。これにより、ランプケース１９の内部の光源ランプ１０に送風することによって、光源ランプ１０を冷却することが可能である。また、温度調整ファン２１は、温度センサ２０によって測定された温度に基づいて、回転数が制御されるように構成されている。この点については、後に詳しく説明する。なお、温度センサ２０は、本発明の「温度測定手段」の一例であり、温度調整ファン２１は、本発明の「送風ファン」の一例である。
【００２８】
また、本実施形態では、回路部３０には、図３に示すように、ＤＭＤ１５や温度調整ファン２１などの制御を行うＣＰＵからなる制御部３１が配置されている。この制御部３１は、温度センサ２０によって測定された光源ランプ１０の近傍の温度に基づいて、光源ランプ１０のバルブ１０ａの光量と、温度調整ファン２１の回転数とを制御している。具体的には、制御部３１は、温度センサ２０によって測定された温度が９０℃以上１００℃以下のときには、光源ランプ１０のバルブ１０ａの光量を通常状態よりも少ない光量レベルであるＬｏｗにするように構成されている。また、温度センサ１０によって測定された温度が１００℃より大きいときには、光源ランプ１０のバルブ１０ａを消灯するように構成されている。また、制御部３１は、温度センサ２０によって測定された温度に基づいて、ＰＩＤ（Ｐｒｏｐｏｒｔｉｏｎａｌ  Ｉｎｔｅｇｒａｌ  Ｄｅｒｉｖａｔｉｖｅ）制御によって温度調整ファン２１の回転数を制御するように構成されている。このＰＩＤ制御とは、フィードバック制御の一種であり、入力値の制御を、出力値との偏差、その偏差の積分および微分との３つの要素によって行う制御である。このＰＩＤ制御を行うことにより、比例制御によるフィードバック制御を行う場合よりも、測定毎に変化する温度センサ２０によって測定される温度により細かく対応して回転数を制御することが可能となる。
【００２９】
ここで、本実施形態では、制御部３１は、温度センサ２０によって測定された光源ランプ１０の近傍の温度に基づいて、温度センサ２０による温度測定の時間間隔を決定している。この温度センサ２０による温度測定の時間間隔は、タイマー３２によって計測される。このタイマー３２は、プロジェクタタ１の電源（図示せず）がオンになったときに、１０秒に設定されるように構成されている。また、タイマー３２は、温度センサ２０によって測定される温度と直前に測定された温度との比較により、測定された温度上昇幅に応じた時間間隔に、制御部３１によって設定される。具体的には、温度センサ２０によって測定された温度と直前に測定された温度との比較により、３℃以上の温度差で上昇していると制御部３１により判断されると、タイマー３２は、５秒に設定されるように構成されている。また、３℃以下の温度差で上昇している、または、温度が上昇していないと制御部３１により判断されると、タイマー３２は、１０秒に設定されるように構成されている。これにより、温度センサ２０による温度測定の時間間隔は、測定された温度に基づいて決定されることが可能となる。
【００３０】
また、制御部３１は、温度センサ２０によって測定された光源ランプ１０の近傍の温度をＲＡＭ（Ｒａｎｄｏｍ  Ａｃｃｅｓｓ  Ｍｅｍｏｒｙ）３３によって記憶させるように構成されている。なお、ＲＡＭ３３は、本発明の「記憶部」の一例である。このＲＡＭ３３は、制御部３１により記憶された直前の温度と、温度センサ２０によって測定される温度とを、制御部３１により容易に比較されるようにするために設けられている。
【００３１】
図４は、本発明の一実施形態によるプロジェクタの装置本体の温度測定および温度調整ファン制御の動作を説明するためのフローチャートである。次に、図２〜図４を参照して、本実施形態によるプロジェクタ１の動作について説明する。
【００３２】
まず、図４に示すように、ステップＳ１において、制御部３１により、タイマー３２によって計測される時間が予め設定された温度測定までの時間が経過したか否かが判断され、設定された温度測定までの時間が経過したと判断されるまでこの判断が繰り返される。このステップＳ１では、温度センサ２０による温度測定が初回の場合には、電源がオンされたときにタイマー３２に設定される１０秒が経過したか否かが判断され、２回目以降の温度測定の場合には、前回の温度測定時にタイマー３２に設定された時間間隔（５秒または１０秒）が経過したか否かが判断される。そして、ステップＳ１において、制御部３１により、温度測定までの時間が経過したと判断された場合、ステップＳ２に移行して、温度センサ２０によって現在の温度を測定する。
【００３３】
そして、ステップＳ３に移行して、ステップＳ２で温度センサ２０により測定された現在の温度が９０℃以上１００℃以下か否かが制御部３１により判断される。そして、温度センサ２０により測定された温度が９０℃以上１００℃以下であると判断された場合には、ステップＳ４に移行して、光源ランプ１０（図２参照）のバルブ１０ａの光量がＬｏｗに切り替えられる。
【００３４】
そして、ステップＳ５に移行して、制御部３１により、ＲＡＭ３３（図３参照）に記憶された直前の温度と、ステップＳ２で温度センサ２０によって測定された現在の温度とを比較して、３℃以上上昇したか否かが判断される。そして、３℃以上上昇していると判断された場合、ステップＳ６に移行して、次回の温度センサ２０による温度測定までの現在の時間を５秒にタイマー３２を設定して、ステップＳ７に移行する。
【００３５】
そして、ステップＳ７において、現在の温度をＲＡＭに記憶した後、ステップＳ８において、ステップＳ２で温度センサ２０によって測定された温度に基づいて、ＰＩＤ制御によって温度調整ファン２１の回転数が制御される。
【００３６】
また、ステップＳ３において、温度センサ２０によって測定された温度が９０℃以上１００℃以下ではなく、温度センサ２０によって測定された温度が９０℃未満、または、１００℃より高いと制御部３１により判断された場合、ステップＳ９に移行する。そして、ステップＳ９では、ステップＳ２で温度センサ２０によって測定された温度が９０℃未満か否かが判断される。そして、ステップＳ９において、ステップＳ２で温度センサ２０によって測定された現在の温度が９０℃未満と判断されると、ステップＳ１０に移行する。そして、ステップＳ１０において、光源ランプ１０（図２参照）のバルブ１０ａの光量がＬｏｗか否かが判断される。そして、バルブ１０ａの光量がＬｏｗと判断された場合、ステップＳ１１に移行して、バルブ１０ａの光量は通常光量に制御されて、ステップＳ５に移行する。また、ステップＳ１０において、光源ランプ１０のバルブ１０ａの光量がＬｏｗではなく、バルブ１０ａの光量が通常光量であると判断された場合は、ステップＳ５に移行する。
【００３７】
また、ステップＳ９において、ステップＳ２で温度センサ２０により測定された温度が９０℃未満でなく、温度が１００℃より大きいと制御部３１により判断されると、ステップＳ１２に移行して、光源ランプ１０（図２参照）のバルブ１０ａが消灯されるとともに、温度調整ファン２１が回転数を最大にして一定時間駆動される。そして、ステップＳ１３に移行して、表示部９には、温度エラーを示す色が点灯または点滅される。そして、一定時間経過後、温度調整ファン２１の回転駆動が停止し、処理を終了する。
【００３８】
ここで、本実施形態では、図４に示すように、ステップＳ５において、制御部３１により、ＲＡＭ３３（図３参照）に記憶された直前の温度と、ステップＳ２で温度センサ２０によって測定された温度とを比較して、３℃以上上昇していない（温度上昇がない、または、温度上昇が３℃未満である）と判断された場合、ステップＳ１４に移行する。そして、ステップＳ１４において、温度センサ２０による温度測定までの時間（温度測定の時間間隔）が５秒に設定されていたか否かが判断され、５秒に設定されていたと判断された場合、ステップＳ１５に移行して、次回の温度センサ２０による温度測定までの時間（温度測定の時間間隔）を１０秒にタイマー３２を設定して、ステップＳ７に移行する。また、ステップＳ１４において、温度センサ２０による温度測定までの時間（温度測定の時間間隔）が５秒に設定されていない、すなわち、温度センサ２０による温度測定までの時間（温度測定の時間間隔）が１０秒に設定されていると判断されると、ステップＳ７に移行する。
【００３９】
本実施形態では、上記のように、光源ランプ１０の近傍の温度を測定する温度センサ２０と、光源ランプ１０に風を送る温度調整ファン２１と、温度センサ２０によって測定された温度に基づいて、温度センサ２０による温度測定の時間間隔を制御するとともに、温度センサ２０による温度測定毎に、測定された温度に基づいて、温度調整ファン２１の回転数をフィードバック制御の一種であるＰＩＤ制御によって制御する制御部３１とを設けることによって、温度センサ２０による光源ランプ１０の近傍の温度測定および温度センサ２０による温度測定毎に実行される温度調整ファン２１の制御の時間間隔を、温度センサ２０によって測定された温度に基づいて変化させることができるので、温度センサ２０によって測定された温度が急激に上昇しているときには、温度測定の時間間隔を短くすることにより、温度調整ファン２１の回転数が急激に上がらないように構成することができる。これにより、温度調整ファン２１の回転数の変化による騒音の急激な増大を抑制することができる。また、温度センサ２０によって測定された温度が変化せずに安定しているときには、温度測定の時間間隔を、温度が急激に上昇しているときよりも長くすることにより、制御部３１が測定された温度に基づいて温度調整ファン２１の回転数を制御する処理の回数を削減することができる。その結果、温度調整ファン２１の回転数制御を簡素化することができるとともに、制御部３１の負荷の増大を抑制することができる。
【００４０】
また、本実施形態では、制御部３１は、温度センサ２０によって測定された直前の温度に対して、３℃以上上昇している場合には、温度センサ２０による温度測定の時間間隔を、５秒に設定するように制御するとともに、３℃差以上で温度が上昇していない場合、または、温度が上昇していない場合には、温度測定の時間間隔を１０秒に設定するように制御するように構成することによって、容易に、温度センサ２０によって測定された温度が急激に上昇しているときには、温度測定の時間間隔を短い５秒に設定することができるとともに、温度センサ２０によって測定された温度が安定しているときには、温度測定の時間間隔を５秒よりも長い１０秒に設定することができる。
【００４１】
また、本実施形態では、温度センサ２０によって測定された温度を記憶するためのＲＡＭ３３をさらに備え、制御部３１を、温度センサ２０によって測定された温度を、ＲＡＭ３３に記憶された、温度センサ２０が直前に測定した温度と比較して、３℃差以上で温度が上昇しているかを判断するように構成することによって、容易に、直前に測定された温度と、温度センサ２０によって測定される温度とを制御部３１により比較することができる。
【００４２】
また、本実施形態では、制御部３１を、温度センサ２０によって測定された温度に基づいて、光源ランプ１０のバルブ１０ａの光量を制御するように構成することによって、温度調整ファン２１の回転数の制御のみならず、光源ランプ１０のバルブ１０ａの光量の制御によっても、光源ランプ１０の近傍の温度の急激な上昇を抑制することができる。
【００４３】
また、本実施形態では、制御部３１を、温度センサ２０によって測定された温度が、９０℃以上１００℃以下である場合には、光源ランプ１０のバルブ１０ａの光量をＬｏｗにするように制御するように構成することによって、制御部３１により、温度センサ２０によって測定された温度が９０℃以上１００℃以下である場合には、光源ランプ１０のバルブ１０ａの光量がＬｏｗにされることにより、光源ランプ１０の近傍の温度を速やかに下げることができる。これにより、光源ランプ１０の近傍の温度が上昇しすぎないように構成することができるので、光源ランプ１０のバルブ１０ａの寿命を向上させることができる。
【００４４】
また、本実施形態では、制御部３１は、温度センサ２０によって測定された温度が、１００℃より大きい場合には、光源ランプ１０のバルブ１０ａを消灯し、温度調整ファン２１の回転数を最大にするように制御するように構成することによって、光源ランプ１０のバルブ１０ａが温度上昇により破損することを有効に抑制することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、温度調整ファンの回転数の制御は、ＰＩＤ制御によって行われる例を示したが、本発明はこれに限らず、温度調整ファンの回転数を、入力値を出力値と目標値との偏差の一次関数として制御する比例制御などのＰＩＤ制御以外のフィードバック制御によって制御してもよい。
【００４７】
また、上記実施形態では、直前の温度測定に対して、３℃以上温度が上昇した場合に、５秒間隔で温度測定および温度調整ファンの回転数の制御を行う例を示したが、本発明はこれに限らず、５秒よりも短い時間間隔で温度測定および温度調整ファンの回転数の制御を行うように構成してもよい。このように構成すれば、温度調整ファンの回転数の急激な変化による騒音の増大をより抑制することができる。また、温度測定および温度測定毎に実行される温度調整ファンの制御の時間間隔を５秒と１０秒との２段階に設定する例を示したが、本発明はこれに限らず、３段階以上に設定するように構成してもよい。
【００４８】
また、上記実施形態では、記憶部の一例として、揮発性メモリであるＲＡＭを示したが、本発明はこれに限らず、ＲＡＭに代えて、フラッシュメモリなどの不揮発性メモリを用いてもよい。
【図面の簡単な説明】
【００４９】
【図１】本発明の一実施形態によるプロジェクタの全体構造を示した斜視図である。
【図２】図１に示した一実施形態によるプロジェクタの内部構造を説明するための平面図である。
【図３】図１に示した一実施形態によるプロジェクタの回路の構成を説明するためのブロック図である。
【図４】図１に示した一実施形態によるプロジェクタの温度測定および温度調整ファンの制御動作を説明するためのフローチャートである。
【符号の説明】
【００５０】
１  プロジェクタ
１０  光源ランプ
２０  温度センサ（温度測定手段）
２１  温度調整ファン（送風ファン）
３１  制御部
３３  ＲＡＭ（記憶部）
【図１】
2009069459.tif 000003
【図２】
2009069459.tif 000004
【図３】
2009069459.tif 000005
【図４】
2009069459.tif 000006